(57)【要約】    【課題】  鍼治療の際に、通常の鍼治療の効能効果に加えて、所望の量の薬剤を体内に経皮的投与する。    【解決手段】  皮膚に貼り付け可能とされた円形の粘着テープ２の粘着面から針体４が突出した円皮針において、その針体４の先端部４ａに細孔６を形成し、この細孔６の内部に薬剤を保持しておく。このような円皮針１の粘着テープ２から剥離紙３を剥がし、針体４を治療部位（つぼ）の位置に合わせて刺入しながら、粘着テープ２を皮膚に貼り付けて固定する。これにより、通常の鍼灸針の効能効果に加えて、薬剤が体内に経皮的投与される。このとき、細孔６の内部に保持された薬剤は、針体４が皮膚に刺入されるときにもずれないので、所望の量の薬剤を体内に投与することができる。【選択図】  図２
2006296924.tif 000002
【特許請求の範囲】
【請求項１】
鍼治療の際に、その針体を皮膚に刺入することで、薬剤が体内に経皮的投与されるように構成された鍼灸針であって、
前記針体の所定位置に、該針体の軸に対して交差する方向に貫通する薬剤保持用の細孔が形成されたことを特徴とする鍼灸針。
【請求項２】
一方の面が粘着面をなす粘着テープと、
基端側が前記粘着テープに固定され、先端側が前記粘着テープの粘着面側から突出する針体と、を含んで構成される鍼灸針において、
前記針体の所定位置に、該針体の軸に対して交差する方向に貫通する薬剤保持用の細孔が形成されたことを特徴とする鍼灸針。
【請求項３】
前記細孔は、針体の軸に対して垂直方向に形成されたことを特徴とする請求項１又は２に記載の鍼灸針。
【請求項４】
前記細孔は、針体の軸に対して斜め方向に形成されたことを特徴とする請求項１又は２に記載の鍼灸針。
【請求項５】
前記細孔は、針体の長手方向に複数個並べて形成されたことを特徴とする請求項１〜４のいずれか１つに記載の鍼灸針。
【発明の詳細な説明】
【技術分野】
【０００１】
本発明は、鍼治療に用いる鍼灸針に関し、詳しくは、針体を皮膚に刺入するときに、所望の量の薬剤を体内に経皮的投与することができる鍼灸針に関するものである。
【背景技術】
【０００２】
従来から、鍼治療に用いる鍼灸針として、通常の鍼治療の効能効果に加えて、薬剤を体内に経皮的投与し得るものがあった。このような鍼灸針の一例として、針体の表面に、その軸線と略平行の溝部を設けておき、この溝部に薬剤を保持したものが知られている。このような鍼灸針の針体を、治療部位（つぼ）に刺入することによって、通常の鍼治療の効能効果が得られると共に、体内に薬剤が経皮的投与されるようになっていた。（特許文献１参照）。
【特許文献１】特開２００３−１１６９６２号公報
【発明の開示】
【発明が解決しようとする課題】
【０００３】
しかしながら、上記特許文献１に記載の鍼灸針においては、鍼治療の際に、針体の表面が皮膚に擦られて刺入されるので、針体の溝部をかなり深く形成しなければ、薬剤を保持しておくことができないことがあった。そして、鍼治療の際に、針体の溝部に保持された薬剤がずれてしまうと、必要な量の薬剤が体内に投与されないこととなり、改善の余地があった。
【０００４】
そこで、本発明は、通常の鍼治療の効能効果に加えて、所望の量の薬剤を体内に経皮的投与することのできる鍼灸針を提供することを目的とする。
【課題を解決するための手段】
【０００５】
本発明に係る鍼灸針は、その針体の所定位置に、該針体の軸に対して交差する方向に貫通する薬剤保持用の細孔を形成したものである。
【発明の効果】
【０００６】
本発明によれば、薬剤を保持した針体を皮膚に刺入することで、通常の鍼治療の効能効果に加えて、薬剤を体内に経皮的投与することができる。この薬剤は、針体の細孔の内部に保持されているので、針体の表面が皮膚に擦られて刺入されても、薬剤がずれることがなく、所望の量の薬剤を体内に経皮的投与することができる。
【発明を実施するための最良の形態】
【０００７】
以下に図面を参照して、本発明の実施の形態について説明する。
【０００８】
図１は、本発明による鍼灸針の一例としての円皮針を示す説明図であって、（ａ）は平面図を示し、（ｂ）は正面図を示す。また、図２は、図１（ｂ）に示す点線の範囲の拡大図である。
【０００９】
図１に示すように、円皮針１は、粘着テープ２と、剥離紙３と、針体４と、樹脂材５とから構成されている。この粘着テープ２は、例えば、直径が１５ｍｍ程度の円形状のもので、布、不織布、あるいはプラスチックテープなどでできており、その下面は粘着性を有し、皮膚に貼り付け可能とされている。この粘着テープ２の中央部には、図２に示すように、針体４を通す穴２ａが空けられている。
【００１０】
この粘着テープ２の下面の粘着面には、円形状の剥離紙３が貼付されている。この剥離紙３は、粘着テープ２の粘着面を保護するもので、図１に示すように、粘着テープ２よりも、やや大きめに形成されている。この剥離紙３の中央部には、図２に示すように、粘着テープ２の穴２ａと同様の穴３ａが空けられている。この剥離紙３は、図１（ａ）に示すように、所定の位置に切り込み３ｂが形成されており、穴３ａを有する大きな片３ｃと、穴３ａを有さない小片３ｄとに２分割できるようになっている。
【００１１】
また、図１（ｂ）に示すように、粘着テープ２の上面の非粘着面には樹脂材５が設けられ、この樹脂材５によって針体４が固定されている。この針体４は、線径が例えば０．１〜０．５ｍｍ程度のステンレスでできており、図２に示すように、例えばＬ字型に屈曲され、その先端部４ａが粘着テープ２の穴２ａ及び剥離紙３の穴３ａを通って、剥離紙３の下面側から突出している。なお、本実施例において、針体４の先端部４ａの突出する長さは、例えば０．３ｍｍ程度（又はそれ以上）とされているが、その長さは任意に設定できる。
【００１２】
このような針体４の基端側４ｂを固定する樹脂材５は、射出成形樹脂、熱硬化樹脂、常温硬化樹脂、紫外線硬化樹脂又はエラストマー樹脂などでできており、針体４の基端側４ｂを覆うように射出成形される。これにより、針体４が粘着テープ２に固定される。
【００１３】
また、針体４を粘着テープ２に固定する方法は、前記射出成形樹脂等の樹脂材５を針体４の基端部４ｂを覆うように射出成形するものに限られず、他の固定方法でもよい。例えば、樹脂材５としてエポキシ樹脂等の接着剤を用いて、針体４の基端部４ｂを粘着テープ２に接着固定してもよい。
【００１４】
このような射出成形樹脂等又はエポキシ樹脂などの樹脂材５を用いて、針体４を粘着テープ２に固定する場合には、射出成形又は接着固定等に伴う樹脂材５のバリを防止するために、その中央下部に窪み５ａが設けられている。
【００１５】
なお、針体４の形状は、図２に示すＬ字型のものに限られず、樹脂材５を用いて粘着テープ２に固定できるものであれば、どのような形状でもよい。
【００１６】
ここで、本発明による円皮針１においては、図２に示すように、針体４の所定位置に、具体的には、針体４の先端部４ａの近傍にて体内に挿入される部分に、細孔６が形成されている。この細孔６は、針体４の軸に対して交差する方向、例えば図３に示すように、針体４の軸に対して垂直方向に貫通して形成されている。この細孔６の内部には、例えば痛み止めや局所麻酔剤などの薬剤７が保持されている。なお、この細孔６は、任意の形状、大きさに形成することができるが、本実施例においては、例えば円形形状の開口部で、その直径は数十μｍ程度とされている。
【００１７】
この細孔６の内部に薬剤７を保持するときは、針体４を医薬品の溶液に浸けてから、その表面に付着した溶液を拭き取って、細孔６の内側にのみ溶液を保持させる。そして、これを凍結乾燥させることで、細孔６の内部に薬剤７が保持された円皮針１を製造することができる。なお、細孔６に保持される薬剤７は、液体を凍結乾燥したものに限られず、粉末状のものでもよいし、膏薬でもよい。
【００１８】
このように構成された円皮針１を用いて鍼治療を行う際には、図４に示すように、剥離紙３の小さな片３ｄと粘着テープ２とを摘まんで持って、剥離紙３の大きな片３ｃを粘着テープ２から剥がす。この状態で、円皮針１の針体４を治療部位（つぼ）の位置に合わせて刺入しながら、粘着テープ２の粘着面が露出した部分を皮膚に貼り付けて固定する。さらに、粘着テープ２に残された剥離紙３の小片３ｄを剥がし、この部分の粘着面も皮膚に貼り付ける。これにより、手で押さえておかなくても、長時間、針体４を体内に刺入した状態とすることができる。
【００１９】
このようにして、円皮針１の針体４を所定の治療部位に刺入することにより、通常の鍼治療の効能効果に加えて、薬剤７を体内に経皮的投与することができる。このとき、薬剤７は、針体４に形成された細孔６の内部に保持されているので、針体４の表面が皮膚に擦られて刺入されても、薬剤７がずれることはない。したがって、鍼治療の際に、針体４の細孔６の内部に保持された薬剤７を漏れなく体内に投与することができ、必要とされた薬剤７の全量が経皮的投与されることになる。
【００２０】
以下に、他の実施形態について説明する。
【００２１】
図５は、本発明の第２の実施形態に係る円皮針１の針体４を示している。本実施形態においては、針体４の軸に対して斜め方向に、細孔６′が形成されている。この場合は、細孔６が針体４の軸に対して垂直方向に形成されたもの（図３参照）と比べて、その開口部を大きくできるので、鍼治療の際に、細孔６′の内部に保持された薬剤７が、短時間で体内に投与されることになる。
【００２２】
図６は、本発明の第３の実施形態に係る円皮針１の針体４を示している。本実施形態においては、針体４の長手方向に、例えば２個の細孔６，６が並べて形成されている。この場合は、一本の針体４が保持できる薬剤７の量を２倍に増やすことができるので、鍼治療の際に、より多くの薬剤７を体内に投与することができる。なお、細孔６の個数に制限はなく、３個以上としてもよい。
【００２３】
また、図６に示すように、針体４に複数個の細孔６，６を形成した場合には、各細孔６に異なる種類の薬剤７を保持しておくことができる、という効果も得られる。
【００２４】
なお、以上に説明した円皮針１は、例えばＬ字型に屈曲した針体４を、樹脂材５を用いて粘着テープ２に固定したものとしたが、本発明はこれに限られず、他の構成のものでもよい。例えば、図７に示すように、針体４の基端部４ｂを、針体４の軸に対して直交する面内で曲げて円形の部分を形成し、この円形とされた基端部４ｂを支持部として、粘着テープ２と支持用テープ８との間に固定した構成のものでもよい。図７中では省略したが、この粘着テープ２及び支持用テープ８の下面の粘着面に、図１に示すと同様の剥離紙３を貼付しておけば、鍼灸針１を皮膚に容易に貼り付けることができる。
【００２５】
また、本発明は、円皮針に適用したものに限られず、他の形状の鍼灸針に適用したものでもよい。例えば、図８に示すように、長さ数十ｍｍの針体９の基端部に、例えばプレスチック製の針柄１０が取り付けられた鍼灸針に適用することもできる。この場合においても、上述したものと同様の効果が得られる。
【００２６】
このような鍼灸針において、針体９の長手方向に、薬剤保持用の細孔６を複数個並べて形成しておけば、鍼治療の際に、針体９を体内に刺入する深さに応じて、体内に投与される薬剤の量を適宜変えることができる。
【図面の簡単な説明】
【００２７】
【図１】本発明の第１の実施形態に係る円皮針の構成を示す説明図であって、（ａ）は平面図を示し、（ｂ）は正面図を示す。
【図２】図１（ｂ）に示す点線の範囲の拡大図である。
【図３】図２に示す針体の拡大断面図である。
【図４】上記円皮針を用いて鍼治療を行う準備段階の状態を示す説明図である。
【図５】本発明の第２の実施形態に係る円皮針の針体を示す拡大断面図である。
【図６】本発明の第３の実施形態に係る円皮針の針体を示す拡大正面図である。
【図７】上記円皮針の他の構成を示す説明図である。
【図８】本発明を他の形状の鍼灸針に適用した例を示す説明図である。
【符号の説明】
【００２８】
１…円皮鍼
２…粘着テープ
３…剥離紙
４…針体
５…樹脂材
６，６′…細孔
７…薬剤
８…支持用テープ
９…針体
１０…針柄
【図１】
2006296924.tif 000003
【図２】
2006296924.tif 000004
【図３】
2006296924.tif 000005
【図４】
2006296924.tif 000006
【図５】
2006296924.tif 000007
【図６】
2006296924.tif 000008
【図７】
2006296924.tif 000009
【図８】
2006296924.tif 000010